(57)【要約】【課題】  ラメ、パール化剤、乳白分散剤などの比重の重い美観向上性固形物が経時的に沈降するのを防止できるとともに、芳香・消臭成分の揮散安定性に優れた油性ゲル組成物を提供すること。【解決手段】  飽和炭化水素系溶剤を８〜９７重量％、オクチル酸アルミニウム又はオクチル酸アルミニウムとＣ１２〜Ｃ２４高級脂肪酸アルミニウムの混合物からなるゲル化剤を１〜２０重量％、スチレン系熱可塑性エラストマーを０．０１〜１．９９重量％、香料および／または消臭成分を０．５〜８７重量％および美観向上性固形物を含有することを特徴とする、美感向上性固形物の沈降が防止された油性ゲル組成物。【選択図】  なし【特許請求の範囲】
【請求項１】
飽和炭化水素系溶剤を８〜９７重量％、オクチル酸アルミニウム又はオクチル酸アルミニウムとＣ１２〜Ｃ２４高級脂肪酸アルミニウムの混合物からなるゲル化剤を１〜２０重量％、スチレン系熱可塑性エラストマーを０．０１〜１．９９重量％、香料および／または消臭成分を０．５〜８７重量％および美観向上性固形物を含有することを特徴とする、美感向上性固形物の沈降が防止された油性ゲル組成物。
【発明の詳細な説明】
【技術分野】
【０００１】
本発明は、芳香剤、消臭剤等に使用される油性ゲル組成物に関し、更に詳しくは、ラメ、パール化剤、乳白分散剤等の美観向上性固形物の沈降を防止することができる油性ゲル組成物に関する。
【背景技術】
【０００２】
従来、油性ゲル組成物は室内芳香剤等として用いられており、ゲル化剤としては、例えば、ステアリン酸ナトリウム（特許文献１参照）、ジベンジリデンソルビトール（特許文献２参照）、硬化ヒマシ油（特許文献３参照）、スチレン系熱可塑性エラストマー（特許文献４、５、６参照）などが提案されている。
【０００３】
また、美観を重視した透明な油性ゲル組成物が求められるようになって、ゲル化剤としてオクチル酸アルミニウムを用いることが提案され、例えば、オクチル酸アルミニウム、リモネンまたは無臭ケロシンからなる透明油性ゲル状芳香剤組成物（特許文献７参照）、ジ−２−エチルヘキサン酸アルミニウム、テルペン系炭化水素及び香料からなる透明ゲル状芳香剤組成物（特許文献８参照）、オクチル酸アルミニウムおよびその６〜８０モル％のＣ１２〜Ｃ２４高級脂肪酸アルミニウムの混合物からなるゲル化剤として用いる透明油性ゲル芳香剤組成物（特許文献９参照）、オクチル酸アルミニウムおよびその６〜８０モル％のＣ１２〜Ｃ２４高級脂肪酸アルミニウムの混合物とベンジリデンソルビトール誘導体を組み合わせてゲル化剤として用いる透明ゲル状芳香・消臭剤組成物（特許文献１０参照）、ジ−２−エチルヘキサン酸アルミニウム、炭化水素化合物又は香料と二塩基酸類などからなるゲル強度向上剤を含有する透明ゲル状芳香剤組成物（特許文献１１参照）などが提案されている。
【０００４】
【特許文献１】特開昭５５−７５４９３号公報
【特許文献２】特開昭６０−４１９６７号公報
【特許文献３】特開２００２−６５８２６号公報
【特許文献４】特公平５−６３１８４号公報
【特許文献５】特開昭６２−２４９６５２号公報
【特許文献６】特開昭６２−２４９６５３号公報
【特許文献７】特許第２７８００２５号公報
【特許文献８】特開平３−９７５８号公報
【特許文献９】特開平１０−４３２８２号公報
【特許文献１０】特開２００１−４６４８２号公報
【特許文献１１】特開２００２−１０２３２５号公報
【発明の開示】
【発明が解決しようとする課題】
【０００５】
室内芳香剤等に使用される油性ゲル組成物に、ラメ、パール化剤、乳白分散剤などの美観向上性固形物を使用してさらに美観を向上させることが求められている。しかしながら、上記した従来提案されている油性ゲル組成物では、ラメ、パール化剤、乳白分散剤などの比重の重い固形物を使用した場合、経時的に固形物が沈降してしまうという問題があり、さらなる改善が求められていた。
【０００６】
従って、本発明の目的は、ラメ、パール化剤、乳白分散剤などの美観向上性固形物が経時的に沈降するのを防止できるとともに、芳香・消臭成分の揮散安定性に優れた油性ゲル組成物を提供することである。
【課題を解決するための手段】
【０００７】
そこで、本発明者らは上記の課題を解決するために鋭意検討を行った結果、今回、飽和炭化水素系溶剤、オクチル酸アルミニウム又はオクチル酸アルミニウムとＣ１２〜Ｃ２４高級脂肪酸アルミニウムの混合物からなるゲル化剤、香料および／または消臭成分の特定の割合での配合物に、比較的少量のスチレン系熱可塑性エラストマーを配合することにより、ラメ、パール化剤、乳白分散剤などの美観向上性固形物が経時的に沈降するのを防止できるとともに、芳香・消臭成分の揮散安定性に優れた油性ゲル組成物が得られることを見出し本発明を完成するに至った。
【０００８】
かくして、本発明は、飽和炭化水素系溶剤を８〜９７重量％、オクチル酸アルミニウム又はオクチル酸アルミニウムとＣ１２〜Ｃ２４高級脂肪酸アルミニウムの混合物からなるゲル化剤を１〜２０重量％、スチレン系熱可塑性エラストマーを０．０１〜１．９９重量％、香料および／または消臭成分を０．５〜８７重量％および美観向上性固形物を含有することを特徴とする、美感向上性固形物の沈降が防止された油性ゲル組成物を提供するものである。
【発明の効果】
【０００９】
本発明によれば、ラメ、パール化剤、乳白分散剤などの比重の重い美観向上性固形物が経時的に沈降するのを防止できるとともに、芳香・消臭成分の揮散安定性に優れた油性ゲル組成物を提供することができる。
【００１０】
以下、本発明の油性ゲル組成物についてさらに詳細に説明する。
【発明を実施するための最良の形態】
【００１１】
本発明において使用される飽和炭化水素系溶剤としては、例えば、イソパラフィン系炭化水素、ノルマルパラフィン系炭化水素、流動パラフィンまたはそれらの混合物などを挙げることができる。その使用量は、油性ゲル組成物の全体量を基準として８〜９７重量％、好ましくは２５〜９５重量％である。
【００１２】
本発明に使用されるオクチル酸アルミニウム又はオクチル酸アルミニウムとＣ１２〜Ｃ２４高級脂肪酸アルミニウムの混合物からなるゲル化剤におけるオクチル酸アルミニウムとしては、ジ−２−エチルヘキサン酸アルミニウムが好適であり、これと混合して用いられるＣ１２〜Ｃ２４高級脂肪酸アルミニウムとしては、例えば、ラウリン酸、ミリスチン酸、パルミチン酸、ステアリン酸、オレイン酸、リノール酸、リノレン酸、ベヘン酸、リグノセリン酸など又はこれら高級脂肪酸の混合物のアルミニウム塩が挙げられる。このゲル化剤の使用量は、油性ゲル組成物の全体量を基準として１〜２０重量％、好ましくは１．５〜１０重量％である。
【００１３】
本発明に使用されるスチレン系熱可塑性エラストマーは、常温下では加硫ゴムの、高温下では普通の熱可塑性樹脂の特性を示す熱可塑性エラストマーの一種であり、硬質相にポリスチレンブロック、軟質相にゴムブロックを持ち、ポリスチレン部分が物理架橋を形成して橋かけ点になっているブロック共重合体である。ゴムブロックとしてはポリオレフィンもしくは水素添加されたポリオレフィンなどがあり、具体的にはポリブタジエン、ポリイソプレン、そして水素添加型のポリエチレン／ブチレン、ポリエチレン／プロピレンが挙げられる。ブロック共重合体には、ジブロック、トリブロック、マルチブロックなどの種類がある。これらのスチレン系熱可塑性エラストマーは市場で容易に入手することができ、例えば、「クレイトンＧ」（シェル化学社製の商品名）、「セプトン４０３３」（クラレ社製の商品名）などを挙げることができる。
【００１４】
上記したスチレン系熱可塑性エラストマーの配合割合は、油性ゲル組成物の全体量を基準として０．０１〜１．９９重量％、好ましくは０．０２〜１．９０重量％である。０．０１重量％未満ではラメ、パール化剤、乳白分散剤などの美観向上性固形物が経時的に沈降するのを防止することができず、１．９９重量％を超える量ではスチレン系熱可塑性エラストマーによるゲル化がおこり、良好なゲルが得られない。
【００１５】
本発明の油性ゲル組成物は、香料および／または消臭成分を含む。香料成分としては、天然および合成の広い範囲の香料を利用することができる。そのような香料成分の例としては、例えば、レモン油、オレンジ油、ベルガモット油、イランイラン油、パチョリ油、シトロネラ油、レモングラス油、ボアドローズ油、チョウジ油、ユーカリ油、セダー油、ビャクダン油、ベチバー油、ゼラニウム油、ペパーミント油、ローズ油、ジャスミン油など、更にはこれら天然精油から分離されたリモネン、ゲラニオール、シトロネロール、リナロールなどの如き天然源植物精油及びその単離香料類；ムスク、シベット、アンバーグリス、カストリウムなどの如き天然源動物性香料類；バニリン、メントール、シンナミックアルデヒド、ヘリオトロピン、リナロール、ゲラニオール、シトロネロール、シトラール、ミルセン、ミルセノール、アニスアルデヒド、シネオール、イオノン、ピネン、リモネン、カンフェン、シス−３−ヘキセノール、ベンジルアルコール、α−アミルシンナミックアルコール、オイゲノール、リナリルアセテート、ベンジルアセテートなどの如き合成香料；これらの各種精油乃至香料の少なくとも二種を配合した調合香料；などの各種の香料成分を例示することができる。なお、香料成分の溶剤として、イソパラフィン、ノルマルパラフィン、ジプロピレングリコール（ＤＰＧ）、ジエチルフタレート（ＤＥＰ）、エチルカルビトールを用いることもできる。
【００１６】
また、消臭成分としては、例えば、ラウリルメタアクリレート、ゲラニルクロトネートクロロフィルの如き化学的消臭剤を例示することができる。
【００１７】
上記した香料および／または消臭成分の配合割合は、油性ゲル組成物の全体量を基準として０．５〜８７重量％、好ましくは１〜７０重量％である。
【００１８】
本発明に使用される美観向上性固形物は、室内芳香剤等に使用される油性ゲル組成物の美感を向上させる固形物であり、例えば、ラメ、パール化剤、乳白分散剤などを挙げることができる。ラメ、パール化剤は、例えば、アルミニウムホイルの表面に細かい溝を有する加工を施し、平滑な表面を精密にカットすることで多彩な色彩の三次元的な光沢効果とデザイン性を付与する固形物であり、市場で容易に入手でき、例えば、ダイヤホログラム、クリスタルカラー、レインボーフレーク（ダイヤ工業株式会社製）などを例示することができる。また、乳白分散剤としては、例えば、被覆処理酸化チタン、被覆処理酸化亜鉛などの微粉末であるＷＭＰ４７８ホワイト（大日本精化工業株式会社製）などを例示することができる。美観向上性固形物の配合割合は、油性ゲル組成物の香料および／または消臭成分の揮散安定性に影響を及ぼさない範囲内で適宜な量を配合することができる。
【００１９】
本発明の油性ゲル組成物には、さらに、他の添加剤として、例えば、パラジクロールベンゼン、ナフタリン、カンフアーの如き防虫剤；オルトフェニルフェノール、安息香酸、サリチル酸、イソプロピルメチルフェノールの如き防腐・殺菌剤；ＢＨＡ、ＢＨＴなどの抗酸化剤；アセトキシフェニルブタノン、メチルオイゲノールの如き誘引、忌避剤；色素等を配合例示することもできる。
【００２０】
上記のように、本発明の油性ゲル組成物は、ラメ、パール化剤、乳白分散剤などの比重の重い美観向上性固形物が経時的に沈降するのを防止できるとともに、芳香・消臭成分の揮散安定性に優れた諸性質を示し、車内、船舶内、トイレ内、浴場内、居室内などの室内芳香・消臭剤として、更には固型香水、固型芳香・消臭塗布剤、ポマンダーなどの香粧品として、その他広い分野において有用である。
【００２１】
以下実施例により本発明の実施の態様をさらに具体的に説明する。
【実施例】
【００２２】
実施例１、比較例１および比較例２
下記表１に記載した配合割合にて、常法により実施例１、比較例１および比較例２の油性ゲル組成物を作製した。なお、数値は全て重量％である。
【００２３】
【表１】
2006055239.tif 000002
【００２４】
※１：ライム＃４５４３（長谷川香料社製）
※２：スチレン系熱可塑性エラストマー（クラレ社製の商品名）
※３：脂肪酸アルミニウム（生研化学社製の商品名）
※４：イソパラフィン（出光石油化学社製の商品名）
※５：ラメ（ダイヤ工業社製の商品名）
【００２５】
（ゲルの状態観察）
実施例１および比較例１において、ラメの分散性向上に寄与している添加剤であるスチレン系熱可塑性エラストマー（実施例１）およびセバシン酸（比較例１）の溶解状況を観察した。また、各油性ゲル組成物を室温で３ヶ月間放置し、ラメの分散状態を観察し、その結果を表２に示す。
【００２６】
【表２】
2006055239.tif 000003
【００２７】
実施例１のスチレン系熱可塑性エラストマーは完全に溶解していたが、比較例１のセバシン酸は一部不溶解の状態であった。また、ラメの分散状態では、実施例１では調製直後と変化なく良好に分散していたが、比較例１ではやや沈降しており、比較例２では大部分が沈降してしまった。さらに、実施例１の油性ゲル組成物は香料の揮散状態も安定していた。